(57)【要約】【課題】  光源の発光に基づく熱を高効率に放熱させることができる照明装置を提供すること。【解決手段】  照明装置１は、ランプ２が着脱されるソケット３と、ソケット３の軸方向Ｘにおいて夫々互いに隙間４をもって対面していると共にソケット３に夫々取り付けられる放熱板６、７及び８と、ソケット３に装着されるランプ２からの光９を反射させる反射部材１１と、反射部材１１、ソケット３並びに放熱板６、７及び８を収容しているハウジング１２と、ハウジング１２を支持する支持部材１４と、支持部材１４に対するハウジング１２のＲ方向の回動を解除自在に禁止する禁止手段１５とを具備している。【選択図】図１
2006147438.tif 000002
【特許請求の範囲】
【請求項１】
光源が着脱されるソケットと、ソケットの軸方向において夫々互いに隙間をもって対面していると共にソケットに夫々取り付けられる複数の放熱板とを具備している照明装置。
【請求項２】
複数の放熱板の夫々の略中央部は、ソケットに取り付けられるようになっている請求項１に記載の照明装置。
【請求項３】
複数の放熱板は、夫々互いに平行に並んで配されている請求項１又は２に記載の照明装置。
【請求項４】
複数の放熱板は、夫々互いに同幅の隙間をもって対面している請求項１から３のいずれか一項に記載の照明装置。
【請求項５】
ソケットに装着される光源からの光をソケットの軸方向に交差する投光方向に向かって反射させる反射部材を更に具備している請求項１から４のいずれか一項に記載の照明装置。
【請求項６】
ソケット及び複数の放熱板を収容しているハウジングを更に具備しており、このハウジングは、ハウジング本体と、ソケットに装着される光源からの光を投光するためにハウジング本体に設けられた投光用開口と、複数の放熱板の周囲に配されてハウジング本体に設けられた複数の放熱孔とを具備している請求項１から５のいずれか一項に記載の照明装置。
【請求項７】
反射部材、ソケット及び複数の放熱板を収容しているハウジングを更に具備しており、このハウジングは、ハウジング本体と、ソケットに装着される光源からの光と当該光のうち反射部材に反射される反射光とを投光するためにハウジング本体に設けられた投光用開口と、複数の放熱板の周囲に配されてハウジング本体に設けられた複数の放熱孔とを具備している請求項５に記載の照明装置。
【請求項８】
ソケット及び複数の放熱板と夫々同様に形成されている他のソケット及び他の複数の放熱板を更に具備しており、ハウジングは、反射部材よりも一方側にソケット及び複数の放熱板が配されると共に当該反射部材よりも他方側に他のソケット及び他の複数の放熱板が配されるようにソケット及び複数の放熱板並びに他のソケット及び他の複数の放熱板を収容している請求項７に記載の照明装置。
【請求項９】
複数の放熱孔のうちの少なくとも一つの放熱孔は、複数の放熱板間の隙間の周囲に配されている請求項６から８のいずれか一項に記載の照明装置。
【請求項１０】
ハウジングがソケットの軸方向に伸びる軸心を中心として回動自在となるように当該ハウジングを支持する支持部材と、この支持部材に対するハウジングの回動を解除自在に禁止する禁止手段とを更に具備している請求項６から９のいずれか一項に記載の照明装置。
【発明の詳細な説明】
【技術分野】
【０００１】
本発明は、舞台、スタジオ、ホール等を照らす照明装置に関する。
【背景技術】
【０００２】
【特許文献１】特開平９−２８３０９７号公報
【０００３】
例えば特許文献１においては、ランプが装着された反射鏡のネック部（括れ部）に取り付けられていると共にランプの熱を反射鏡を介して拡散させて放熱させる放熱体が設けられた照明装置が提案されている。
【発明の開示】
【発明が解決しようとする課題】
【０００４】
ところで、斯かる照明装置などでは、光源としてのランプの負担を軽減させるべくランプの熱をより高効率に放熱させられることが望まれる。また、斯かる照明装置より舞台、スタジオ、ホール等に対する投光方向を適宜変更させた場合においても、ランプの熱の放熱効率の低下の防止を図れるとより望ましい。
【０００５】
本発明は、前記諸点に鑑みてなされたものであり、その目的とするところは、光源の発光に基づく熱を高効率に放熱させることができる照明装置を提供することにある。
【課題を解決するための手段】
【０００６】
本発明の照明装置は、光源が着脱されるソケットと、ソケットの軸方向において夫々互いに隙間をもって対面していると共にソケットに夫々取り付けられる複数の放熱板とを具備している。
【０００７】
本発明の照明装置によれば、特にソケットの軸方向において夫々互いに隙間をもって対面していると共にソケットに夫々取り付けられる複数の放熱板を具備しているために、複数の放熱板の夫々の熱伝導性に基づいて光源の熱をソケットを介して放熱させることができる上に、前記各隙間にいわゆる煙突効果（チムニー効果）により複数の放熱板及びソケットからの放熱を促すことができ、而して、光源の発光に基づく熱を高効率に放熱させることができる。
【０００８】
本発明の照明装置の好ましい例では、複数の放熱板の夫々の略中央部は、ソケットに取り付けられるようになっている。このような例によれば、例えば照明装置自体がソケットの軸方向に伸びる軸心を中心として回動された場合においても、複数の放熱板自体の熱伝導性に基づく放熱と煙突効果による空気の流動とを生じさせることができ、而して、光源の発光に基づく熱を高効率に放熱させることができる。
【０００９】
本発明の照明装置の好ましい例では、複数の放熱板は、夫々互いに平行に並んで配されている。
【００１０】
本発明の照明装置の好ましい例では、複数の放熱板は、夫々互いに同幅の隙間をもって対面している。
【００１１】
本発明の照明装置の好ましい例では、ソケットに装着される光源からの光をソケットの軸方向に交差する投光方向に向かって反射させる反射部材を更に具備している。このような例によれば、照明装置自体を回動させて投光方向を変更したとしても、複数の放熱板自体の熱伝導性に基づく放熱と煙突効果による空気の流動とで光源の発光に基づく熱を高効率に放熱させることができる上に、ソケットに装着された光源からの光及び当該光のうち反射部材に反射された反射光を投光方向に好適に投光させることができる。
【００１２】
本発明の照明装置の好ましい例では、ソケット及び複数の放熱板を収容しているハウジングを更に具備しており、このハウジングは、ハウジング本体と、ソケットに装着される光源からの光を投光するためにハウジング本体に設けられた投光用開口と、複数の放熱板の周囲に配されてハウジング本体に設けられた複数の放熱孔とを具備している。また、斯かる好ましい例において、上述のような反射部材を具備している場合には、ハウジングは、反射部材をも収容していてもよく、投光用開口は、反射部材に反射される反射光も投光方向において投光されるようにハウジング本体に設けられていてもよく、加えて、ソケット及び複数の放熱板と夫々同様に形成されている他のソケット及び他の複数の放熱板を更に具備していてもよく、斯かる場合に、ハウジングは、反射部材よりも一方側にソケット及び複数の放熱板が配されると共に当該反射部材よりも他方側に他のソケット及び他の複数の放熱板が配されるようにソケット及び複数の放熱板並びに他のソケット及び他の複数の放熱板を収容していてもよい。更にまた、斯かる好ましい例では、複数の放熱孔のうちの少なくとも一つの放熱孔は、複数の放熱板間の隙間の周囲に配されていてもよい。
【００１３】
本発明の照明装置の好ましい例では、ハウジングがソケットの軸方向に伸びる軸心を中心として回動自在となるように当該ハウジングを支持する支持部材と、この支持部材に対するハウジングの回動を解除自在に禁止する禁止手段とを更に具備している。
【発明の効果】
【００１４】
本発明によれば、光源の発光に基づく熱を高効率に放熱させることができる照明装置を提供し得る。
【発明を実施するための最良の形態】
【００１５】
次に、本発明の実施の形態の例を、図に示す例に基づいて更に詳細に説明する。尚、本発明はこれら例に何等限定されないのである。
【実施例】
【００１６】
図１から図３において、本例の照明装置１は、光源としてのランプ２が着脱されるソケット３と、ソケット３の軸方向Ｘにおいて夫々互いに隙間４をもって対面していると共にソケット３に夫々取り付けられる複数、本例では三枚の放熱板６、７及び８と、ソケット３及び放熱板６、７及び８と夫々同様に形成されているソケット３ａ及び複数の放熱板６ａ、７ａ及び８ａと、ソケット３に装着されるランプ２及びソケット３ａに装着される光源としてのランプ２ａからの光（発光光）９を軸方向Ｘに直交する投光方向Ａに向かって反射させる反射部材１１と、反射部材１１、ソケット３及び３ａ並びに複数の放熱板６、６ａ、７、７ａ、８及び８ａを収容しているハウジング１２と、ハウジング１２がソケット３及び３ａの軸方向Ｘに伸びる軸心１３を中心としてＲ方向に回動自在となるように当該ハウジング１２を支持する支持部材１４と、支持部材１４に対するハウジング１２のＲ方向の回動を解除自在に禁止する禁止手段１５とを具備している。
【００１７】
ランプ２及び２ａは、夫々互いに同様に形成されており、例えば、タングステンハロゲンランプ等のハロゲンランプからなり、ソケット３及び３ａに夫々装着された際には、ランプ２及び２ａの夫々の先端が軸方向Ｘにおいて互いに向かい合って配される。尚、軸方向Ｘは、本例では水平方向と同方向である。
【００１８】
ソケット３並びに放熱板６、７及び８とソケット３ａ並びに放熱板６ａ、７ａ及び８ａとは、軸方向Ｘにおいて反射部材１１を間にして夫々互いに対向して配されている。ソケット３並びに放熱板６、７及び８は、軸方向Ｘにおいて反射部材１１よりもハウジング１２の側板２５側に配されており、ソケット３ａ並びに放熱板６ａ、７ａ及び８ａは、軸方向Ｘにおいて反射部材１１よりもハウジング１２の側板２５ａ側に配されている。ソケット３は、軸方向Ｘにおいてランプ２よりも側板２５側に配されており、ソケット３ａは軸方向Ｘにおいてランプ２ａよりも側板２５ａ側に配されている。尚、ソケット３ａ並びに放熱板６ａ、７ａ及び８ａは、ソケット３並びに放熱板６、７及び８と夫々同様に形成されているので、以下、図に適宜同符号を付してこれらについての詳細な説明を省略する。
【００１９】
熱伝導性及び放熱性を有したソケット３は、一端にランプ２の装着部２１を有した円柱状又は円筒状のソケット本体２２と、ソケット本体２２の他端に一体的に固着されていると共にソケット本体２２の径よりも大きな径を有した円板部２３とを具備している。ソケット本体２２は、軸方向Ｘに伸びており、装着部２１は、反射部材１１の側板部２４側に配されており、円板部２３はハウジング１２の側板２５側に配されている。斯かるソケット３は、装着部２１に差し込まれ又はねじ込まれることにより装着されたランプ２に電源（図示せず）からの電力を給電線２７を介して供給するようになっている。
【００２０】
放熱板６、７及び８は、軸方向Ｘに関して夫々互いに平行に並んで配されている。放熱板６、７及び８は、軸方向Ｘにおいて夫々互いに同幅の隙間４をもって対面している。放熱板６、７及び８は、板状本体３１と、板状本体３１の略中央部５に配された取り付け部３２とを具備しており、取り付け部３２においてソケット本体２２に取り付けられるようになっている。
【００２１】
板状本体３１は、熱伝導性及び放熱性に優れた材料からなっているのが望ましく、例えばアルミニウム等の金属製であってもよい。板状本体３１は、ハウジング１２による放熱板６、７及び８の収容が可能な範囲内において軸方向Ｘに直交する方向に広がった面３５及び３６を有していてもよい。また、板状本体３１の周縁３７は、本例ではハウジング１２の内面から離れているが、当該内面に接触していてもよい。放熱板６、７及び８の夫々の板状本体３１は、一端でハウジング１２の側板２５に固定された連結軸３８により夫々互いに連結されていると共に当該連結軸３８を介してハウジング１２に支持されている。
【００２２】
取り付け部３２は、略中央部５に設けられた孔４１と、孔４１を画成している画成面４２とを有しており、孔４１には、ソケット本体２２が挿入され、画成面４２は、孔４１に挿入されたソケット本体２２の周面４３が接触している。放熱板６、７及び８は、画成面４２の周面４３に対する接触によりソケット３に取り付けられるようになっている。
【００２３】
放熱板６の面３６は放熱板７の面３５に隙間４をもって対面しており、放熱板７の面３６は、放熱板８の面３５に隙間４をもって対面している。
【００２４】
反射部材１１は、軸方向Ｘに伸びていると共に側板２５又は２５ａ側からみて投光用開口６２に向かって凹曲状となっている凹曲板部５２と、凹曲板部５２の軸方向Ｘにおける一方の端部に一体的に固着されている側板部２４と、凹曲板部５２の軸方向Ｘにおける他方の端部に一体的に固着されている側板部２４ａとを具備している。
【００２５】
凹曲板部５２並びに側板部２４及び２４ａは、光９を投光方向Ａに向かって反射する鏡面５１を有している。側板部２４及び２４ａには、ランプ２及び２ａが挿入される孔が夫々設けられている。側板部２４及び２４ａは、ハウジング１２の支持板７７及び７７ａに夫々取り外し自在に取り付けられるようになっている。尚、ランプ２及び２ａは、側板部２４及び２４ａの孔を介してソケット３及び３ａに夫々装着される。
【００２６】
ハウジング１２は、中空のハウジング本体６１と、ソケット３及び３ａに装着されるランプ２及び２ａの光９と当該光９のうち反射部材１１に反射される反射光１０とを投光するためにハウジング本体６１に設けられている投光用開口６２と、複数の放熱板６、７及び８並びに複数の放熱板６ａ、７ａ及び８ａの周囲に配されてハウジング本体６１に設けられた複数の放熱孔６３とを具備している。
【００２７】
ハウジング本体６１は、軸方向Ｘに伸びた縁で夫々互いに一体的に固着されている軸方向Ｘに伸びた前板７１、後板７２、上板７３及び下板７４と、前板７１、後板７２、上板７３及び下板７４の軸方向Ｘにおける一方側の端部に固着された側板２５と、前板７１、後板７２、上板７３及び下板７４の軸方向Ｘにおける他方側の端部に固着された側板２５ａと、前板７１に夫々固着されていると共に反射部材１１の側板部２４及び２４ａが取り外し自在に取り付けられることにより反射部材１１を支持する一対の支持板７７及び７７ａとを具備している。尚、支持板７７及び７７ａには、ランプ２及び２ａが挿入される孔が夫々設けられており、ランプ２及び２ａは、支持板７７及び７７ａの孔を介してソケット３及び３ａに夫々装着される。
【００２８】
前板７１、後板７２、上板７３、下板７４並びに側板２５及び２５ａは夫々互いに協働してハウジング本体６１の中空部７５を画している。前板７１には、投光用開口６２が設けられており、軸方向Ｘにおける一方側で投光用開口６２を画している前板７１の部位には支持板７７が固着されており、軸方向Ｘにおける他方側で投光用開口６２を画している前板７１の部位には支持板７７ａが固着されている。光９及び反射光１０は、投光用開口６２から投光方向Ａに投光される。前板７１、後板７２、上板７３及び下板７４には、放熱孔６３が複数設けられている。
【００２９】
前板７１、後板７２、上板７３及び下板７４に設けられた複数の放熱孔６３のうちのいくつかは、各隙間４の周囲に配されている。尚、前板７１には、投光用開口６２から投光された光９及び反射光１０を拡散させる拡散フィルタ７９が設けられていてもよい。
【００３０】
側板２５は、ソケット本体２２が挿入される孔を有しており、当該孔にソケット本体２２が挿入された場合には、側板２５の外面７６は、円板部２３に接触するようになっている。尚、ソケット３は、円板部２３にねじ等を介して側板２５に取り外し自在に装着される。また、側板２５及び２５ａには、放熱孔６３が設けられていないが、当該放熱孔６３が一つ又は複数設けられていてもよい。側板２５ａは、側板２５と同様に形成されてソケット３ａが取り付けられるようになっている。
【００３１】
ハウジング本体６１の中空部７５においては、ソケット３並びに複数の放熱板６、７及び８が、軸方向Ｘにおいて反射部材１１の側板部２４よりも側板２５側に配されており、ソケット３ａ及び複数の放熱板６ａ、７ａ及び８ａが、軸方向Ｘにおいて反射部材１１の側板部２４ａよりも側板２５ａ側に配されている。放熱板６、７及び８は、側板２５と支持板７７との間に配されており、放熱板６ａ、７ａ及び８ａは、側板２５ａと支持板７７ａとの間に配されている。
【００３２】
支持部材１４は、両端部で側板２５及び２５ａの夫々に取り付け板８１を介してＲ方向に回動自在に取り付けられたコ字状のアーム部材８２を具備している。アーム部材８２は、照明装置１の設置場所に固定されることによりランプ２及び２ａ、ソケット３及び３ａ、放熱板６、６ａ、７、７ａ、８及び８ａ、反射部材１１及びハウジング１２をＲ方向に回動自在に支持するようになっている。照明装置１は、アーム部材８２に対してＲ方向に回動されることにより投光方向Ａの変更が可能となっている。
【００３３】
禁止手段１５は、取り付け板８１に螺合していると共に回転により取り付け板８１に接近してアーム部材８２の端部を取り付け板８１と協働して挟持する締めねじ８５を具備している。禁止手段１５は、締めねじ８５の回転によりハウジング１２をアーム部材８２に対して不動にすることで、支持部材１４に対するハウジング１２のＲ方向の回動を禁止するようになっている。また、禁止手段１５は、締めねじ８５の逆回転により当該締めねじ８５を取り付け板８１から離反させてハウジング１２をアーム部材８２に対してＲ方向に回動可能な状態にすることで、支持部材１４に対するハウジング１２のＲ方向の回動の禁止を解除するようになっている。
【００３４】
以上の照明装置１では、ランプ２及び２ａを点灯させることにより当該ランプ２及び２ａの光９並びに反射部材１１に反射した反射光１０を投光用開口６２から投光方向Ａに投光する。発光しているランプ２及び２ａの夫々に生じる熱は、ソケット３及び３ａに夫々伝導され、当該ソケット３及び３ａを介して放熱板６、７及び８並びに６ａ、７ａ及び８ａに夫々伝導される。ソケット３並びに放熱板６、７及び８とソケット３ａ並びに放熱板６ａ、７ａ及び８ａとに伝導された熱はこれらの放熱性により夫々放熱される。ソケット３並びに放熱板６、７及び８から放熱された場合には、各隙間４に存していた気体が熱せられることにより上昇して当該各隙間４から流出されると共に、放熱板６、７及び８の下方に存していた気体が各隙間４に流入され、このようにして、いわゆる煙突効果による空気の流動が生じる。ソケット３ａ並びに放熱板６ａ、７ａ及び８ａから放熱された場合にも、上記同様に煙突効果による空気の流動が生じる。尚、軸方向Ｘに伸びる軸心１３を中心に照明装置１をＲ方向に回動させて投光方向Ａを変更した場合においても、ソケット３が放熱板６、７及び８の略中央部５に、ソケット３ａが放熱板６ａ、７ａ及び８ａの略中央部５に夫々取り付けられているので、上述同様に煙突効果による空気の流動が生じる。
【００３５】
本例の照明装置１によれば、光源としてのランプ２が着脱されるソケット３と、ソケット３の軸方向Ｘにおいて夫々互いに隙間４をもって対面していると共にソケット３に夫々取り付けられる複数の放熱板６、７及び８とを具備しているために、放熱板６、７及び８の夫々の熱伝導性に基づいてランプ２の熱をソケット３を介して放熱させることができる上に、いわゆる煙突効果により各隙間４の空気の流動を促進させ得て放熱板６、７及び８並びにソケット４からの放熱を促すことができ、而して、ランプ２の発光に基づく熱を高効率に放熱させることができる。また、ソケット３及び放熱板６、７及び８と同様に形成された他のソケット３ａ並びに他の放熱板６ａ、７ａ及び８ａによっても上記及び下記と同様の効果を奏し得る。
【００３６】
照明装置１によれば、複数の放熱板６、７及び８の夫々の略中央部５は、ソケット３に取り付けられるようになっているために、照明装置１自体がソケット３の軸方向Ｘに伸びる軸心１３を中心としてＲ方向に回動された場合においても、複数の放熱板６、７及び８自体の熱伝導性に基づく放熱と煙突効果による空気流動とを生じさせることができ、而して、ランプ２の発光に基づく熱を高効率に放熱させることができる。
【００３７】
照明装置１によれば、ソケット３に装着されるランプ２からの光９をソケット３の軸方向Ｘに交差する投光方向Ａに向かって反射させる反射部材１１を更に具備しているために、照明装置１自体をＲ方向に回動させて投光方向Ａを変更したとしても、放熱板６、７及び８自体の熱伝導性に基づく放熱と煙突効果による空気の流動とを生じさせることができてランプ２の発光に基づく熱を高効率に放熱させることができる上に、ソケット３に装着されたランプ２からの光９及び当該光９のうち反射部材１１に反射された反射光１０を投光方向Ａに好適に投光させることができる。
【図面の簡単な説明】
【００３８】
【図１】本発明の実施の形態の例の斜視説明図である。
【図２】図１に示す例の断面説明図である。
【図３】図１に示す例の一部拡大説明図である。
【符号の説明】
【００３９】
１  照明装置
２、２ａ  ランプ
３、３ａ  ソケット
４  隙間
５  略中央部
６、６ａ、７、７ａ、８、８ａ  放熱板
１１  反射部材
１２  ハウジング
１４  支持部材
１５  禁止手段
【図１】
2006147438.tif 000003
【図２】
2006147438.tif 000004
【図３】
2006147438.tif 000005